(57)【要約】      （修正有）【課題】汚水配管が地震等により破損された場合に、汚水源の枡からの汚水を該破損箇所を迂回して汚水配管に排出する。【解決手段】タンク11の上部にモータ駆動されるバキュームポンプ12を設け、タンクの下部にモータ駆動される水中汚水排出ポンプ14を設け、タンクの内部に連通する吸込ホース18、および前記汚水排出ポンプに連通する排出ホース19を、それぞれタンクに付設し、前記バキュームポンプによりタンク内を真空として吸込ホースを介して汚水を吸入し、タンク内に貯留した汚水を前記汚水排出ポンプにより排出ホースを介してタンク外に排出するようにした。【選択図】図２
2007138411.tif 000002
【特許請求の範囲】
【請求項１】
タンクの上部にモータ駆動されるバキュームポンプを設け、タンクの下部にモータ駆動される水中汚水排出ポンプを設け、タンクの内部に連通する吸込ホース、および前記汚水排出ポンプに連通する排出ホースを、それぞれタンクに付設し、前記バキュームポンプによりタンク内を真空として吸込ホースを介して汚水を吸入し、タンク内に貯留した汚水を前記汚水排出ポンプにより排出ホースを介してタンク外に排出するようにしたことを特徴とするバキューム式汚水排出装置。
【請求項２】
前記タンクに制御盤を付設し、該制御盤から水中電極を垂下し、該水中電極は下位水位および上位水位を検知してバキュームポンプの始動、停止を行わせるための１対の検知センサと該検知センサを間隔調整自在に支持する帯状体とで構成し、タンク内の下位水位および上位水位を検知して汚水排出ポンプの始動、停止を行わせるための１対のフロートを汚水排出ポンプに付設していることを特徴とする請求項１のバキューム式汚水排出装置。
【請求項３】
請求項１記載のバキューム式汚水排出装置を、破損した汚水配管に連通する排水枝管と同数準備設置し、各バキューム式汚水排出装置の吸込ホースおよび水中電極を各排水枝管の枡に挿入し、各排水枝管を枡より下流側で止水し、バキューム式汚水排出装置の排出ホースを前記破損箇所より下流側マンホールにて汚水配管に開放することを特徴とするバキューム式汚水排出方法。
【発明の詳細な説明】
【技術分野】
【０００１】
本発明は、汚水配水管が地震等により破損した場合、各家庭からの汚水の排出を可能としながら、汚水配管の交換や補修作業を行えるようにしたバキューム式汚水排出装置および汚水排出方法に関する。
【背景技術】
【０００２】
公道の地下等に設置された汚水配管は、地震や地上の自動車の振動等により往々破損されることがあり、その場合、該汚水配管を新しいものと交換しなければならない。その交換作業を行う際、一時的に各家庭から排出される汚水を、下流側マンホールに切り回す必要がある。その切り回し時には、各家の宅内汚水枡(図１の枡４参照)が基点になるが、その枡が約２００Φと小さく、市販の最小の汚水用ポンプが該枡内に入らない。
【０００３】
本発明は、上記の問題を克服するためになされたもので、そのために４つの工法について比較検討した。吸引機能、排出機能、費用、工期、音、におい、これらの総合評価を、×、△、○、◎の４段階で行った。
2007138411.tif 000003
【０００４】
その結果は、表に示されるようになり、バキューム式吸引タンク内汚水排水ポンプが最良であることを知見した。なお第３のチューブポンプによる連続吸引で、吸引機能が×であるのは、吸引、排出ともに力はあるが、処理量が不足であり、第４のバキューム車による排出で排出機能が×であるのは、定期的に処理場に排出に行く必要があるからである。
【０００５】
一方、バキュームを利用した下水収集システムが特許文献１に開示されている。この仮排水用真空式下水収集システムは、排水設備枡及びマンホールからの下水の流出を防止する止水手段と、前記排水設備枡及びマンホール内の下水の水位に応じて開閉する真空弁を介在させた下水吸引管と、真空発生手段と、収集した下水を一時的に貯留する集水タンクと、集水タンクに貯留した下水を真空ステーション外に排出する手段とを具えた移動可能な真空ステーションと、前記下水吸引管と前記真空ステーションとを連結する吸引主管とを有している。
【特許文献１】特開平５−１７９６９０号公報
【発明の開示】
【発明が解決しようとする課題】
【０００６】
上記のような構成を有する下水収集システムは、比較的大径の吸引主管や、大型の真空タンクを配設、連結するのに大掛かりな工事、時間、熟練を要し、また構造が複雑な真空弁を介在した複数の下水吸引管を多数必要とする。
【０００７】
本発明は、上記のような問題点を解決し、汚水配管が破損した場合に技能者でなくても、比較的手軽にかつ迅速に汚水を汚水配管の下流側マンホールに排出できるようにしたバキューム式汚水排出装置および汚水排出方法を提供することを目的とする。
【課題を解決するための手段】
【０００８】
本発明のバキューム式汚水排出装置は、タンクの上部にモータ駆動されるバキュームポンプを設け、タンクの下部にモータ駆動される水中汚水排出ポンプを設け、タンクの内部に連通する吸込ホース、および前記汚水排出ポンプに連通する排出ホースを、それぞれタンクに付設し、前記バキュームポンプによりタンク内を真空として吸込ホースを介して汚水を吸入し、タンク内に貯留した汚水を前記汚水排出ポンプにより排出ホースを介してタンク外に排出するようにしている。
【０００９】
また、前記タンクに制御盤を付設し、該制御盤から水中電極を垂下し、該水中電極は下位水位および上位水位を検知してバキュームポンプの始動、停止を行わせるための１対の検知センサと該検知センサを間隔調整自在に支持する帯状体とで構成し、タンク内の下位水位および上位水位を検知して汚水排出ポンプの始動、停止を行わせるための１対のフロートを汚水排出ポンプに付設することが好ましい。
【００１０】
本発明のバキューム式汚水排出方法は、上記バキューム式汚水排出装置を、破損した汚水配管に連通する排水枝管と同数準備設置し、各バキューム式汚水排出装置の吸込ホースおよび水中電極を各排水枝管の枡に挿入し、各排水枝管を枡より下流側で止水し、バキューム式汚水排出装置の排出ホースを前記破損箇所より下流側マンホールにて汚水配管に開放するようにしている。このようにしてバキューム式汚水排出装置による汚水排出を行っている間に、破損した汚水配管の交換や修理作業等を行う。
【発明の効果】
【００１１】
本発明のバキューム式汚水排出装置は、次のような効果を奏することができる。
（１）  構造が簡単であり、その製造費が低廉である。
（２）  特に熟練者でなくても、設置作業を容易に行うことができる。
（３    汚水の切り回しの工事現場への設置が迅速に行えて、汚水配管の故障に素早く対応することができる。
（４）  ポンプは必要時のみ運転可能であるので、ポンプやモータの消耗が少なく、また消費電力も浪費されない。
【００１２】
本発明のバキューム式汚水排出は、上記のような効果を有するバキューム式汚水排出装置を用いることにより、汚水排出作業を簡便、能率的に行うことができる。
【発明を実施するための最良の形態】
【００１３】
本発明の１実施形態について、図１〜図４を参照して説明する。図１に示されるように、例えば各家庭からの汚水源１からの汚水は、汚水枝管２を介して汚水配管３に排出される。汚水枝管２の中間部には枡４が介装され、また汚水配管３には所定間隔をおいて上流側マンホール５、下流側マンホール６が設けられ、該間隔内において所定数(図示例では３本)の汚水枝管２が汚水配管３に連結されている。
【００１４】
本発明のバキューム式汚水排出装置１０は、汚水配管３のＡ点が破損した場合に適用される。該バキューム式汚水排出装置１０は、汚水を一時貯留するためのタンク１１を有する。
【００１５】
タンク１１の上部にタンク内を真空にするバキュームポンプ１２、その駆動モータ１３が付設されている。タンク１１内の下部には、水中汚水排出ポンプｌ４、およびその駆動モータ１５が配設され、その近傍に、高水位検知フロート１６および下位水位検知フロート１７が設けられており、該フロート１６、１７の検知により、モータ１５の起動、停止が行われる。フロート１６、１７の検知作動をモータ１５のスイッチに直接伝達するか、その検知作動に基づきモータの駆動制御回路によりモータ１５の起動、停止を行うようにしてもよい。
【００１６】
汚水の吸込ホース１８および排出ホース１９がタンク１１に付設されており、吸込ホース１８はタンク１１内に連通し、排出ホース１９は水中汚水排出ポンプｌ４の吐出管２０に連通している。吸込ホース１８の吸込端部には、図４に示されるような切り欠き３１を有する吸込金具３０が設けられ、低水位での吸引力をアップさせるためエアーを強制的に混入させる、いわゆるエアーリフト併用とされる。
【００１７】
タンク１１は、複数の車輪２１を有する台車２２に載置され機動性を高めることが好ましい。
【００１８】
前記駆動モータ１３、１５を制御するための制御盤２３がタンク１１に付設されている。制御盤２３にはモータの起動停止用のボタン２４、２５が設けられている。また制御盤２３には電力ケーブル２６および可撓性条体の水中電極２７が接続されている。
【００１９】
電力ケーブル２６は、駆動モータ１３、１５への電力供給用であり、その一端は発電機等の適宜電源２８に接続され、そこから電力の供給を受ける。
【００２０】
水中電極２７は、枡４内の汚水水位を検知する低水位ＬＷＬの検知センサおよび高水位ＨＷＬの検知センサを有し、これらのセンサは制御盤２３から垂下するステンレス線を樹脂被覆した電極帯等の可撓性条体２８に間隔調整自在に固定支持されるとともに、耐水性に製造されている。該水中電極２７により整流子モータを多用する駆動モータ１３の運転を必要時のみ行って運転時間を極力減らし、ブラシのメンテナンス等を軽減することができる。
【００２１】
次に上記のように構成されたバキューム式汚水排出装置１０による汚水排出について説明する。汚水配管３がＡ点で破損した場合、上流側マンホール５において汚水配管３を閉止し、上流側マンホール５よりも下流で汚水配管３に連結された汚水枝管２は、枡４の下流において止水プラグ３２で止水する。
【００２２】
次いでバキューム式汚水排出装置１０を各枡４の近傍に搬送設置し、その吸込ホース１８および水中電極２７の端部を各枡４内に挿入し、排出ホース１９の端部を下流側マンホール６に導き、該マンホールにて汚水配管３に開放する。電力線２６を電源２８に接続する。
【００２３】
そこで制御盤２３のスタートボタン２４を押すことにより、バキューム式汚水排出装置１０は作動可能状態となる。水中電極２７の高水位検知センサが枡４内の高水位を検知すると、その検知信号に基づき、モータ１３が始動し、該モータで駆動されるバキュームポンプ１２が作動を開始し、タンク１１内が真空とされ、枡４内の汚水は吸込ホース１８を介してタンク１１内に吸引される。吸引が進み枡４内が低水位となり、該水位を水中電極２７の低水位検知センサが検知すると、その検知信号に基づき、モータ１３が停止しバキュームポンプ１２が停止する。
【００２４】
タンク１１内に吸い込まれた汚水の水位が上昇して、高水位検知フロート１６が上昇すると、モータ１５が始動し、該モータで駆動される汚水排出ポンプ１４が作動し、タンク１１内の汚水は排出ホース１９を介して下流側マンホール６において汚水配管３に排出される。タンク１１内の水位が低下し、これを低水位検知フロート１７が下降すると、モータ１５が停止し、該モータで駆動される汚水排出ポンプ１４が停止する。
【図面の簡単な説明】
【００２５】
【図１】本発明のバキューム式汚水排出装置の一実施形態を説明する平面図。
【図２】本発明のバキューム式汚水排出装置の一実施形態を示す一部破断側面図。
【図３】本発明のバキューム式汚水排出装置の使用形態を示す側面図。
【図４】本発明のバキューム式汚水排出装置に利用される吸込金具の拡大図。
【符号の説明】
【００２６】
２・・・排水枝管
３・・・汚水配管
４・・・枡
５、６・・・マンホール
１１・・・タンク
１２・・・バキュームポンプ
１３、１５・・・モータ
１４・・・汚水排出ポンプ
１６、１７・・・フロート
１８・・・吸込ホース
１９・・・排出ホース
２３・・・制御盤
２７・・・水中電極
【図１】
2007138411.tif 000004
【図２】
2007138411.tif 000005
【図３】
2007138411.tif 000006
【図４】
2007138411.tif 000007